(57)【特許請求の範囲】
【請求項１】
入金口に入金された硬貨を金種別に選別し一時貯留させる金種選別一時貯留手段と、該金種選別一時貯留手段から硬貨を金種別に受け入れて収納するとともに指示された枚数の硬貨を出金口に向け繰り出す金種別の収納出金手段とを有する硬貨入出金機において、
前記金種別の収納出金手段は、上下方向に積み重なるように配置されるとともに、前記金種選別一時貯留手段からの硬貨を機体の前後方向におけるその後部側より収納する一方、収納した硬貨を機体の前後方向におけるその前部側より前記出金口に向け繰り出すものであって、下側のものほど大径硬貨を収納するとともに、それぞれの前端部の位置をすべて一致させており、後端部の位置を、上側のものほど、機体における前方側に位置するようにずらしていることを特徴とする硬貨入出金機。
【請求項２】
機体の上層部には、機体の前部側から後部側に向かって順に、入金口と、該入金口に機外から投入された硬貨を分離して繰り出す入金分離繰出機構と、該入金分離繰出機構で繰り出された硬貨を搬送する搬送路機構とを配置するとともに、該搬送路機構には、機体の前部側から後部側に向かって順に、硬貨を判別する判別部と、該判別部の判別結果に基づいて硬貨を前記搬送路機構から排除する入金排除手段と、前記判別部の判別結果に基づいて硬貨を前記搬送路機構から排除するオーバーフロー排除手段と、前記判別部の判別結果に基づいて硬貨を金種別に選別し一時貯留させる金種選別一時貯留手段とを配置し、
前記上層部の直下の中間層部には、機体の前部側から後部側に向かって順に、入金排除口と、前記入金排除手段で排除された硬貨を前記入金排除口へ搬送する入金排除搬送機構と、前記オーバーフロー排除手段で排除された硬貨および前記金種選別一時貯留手段で一時貯留された硬貨を搬送可能な一括搬送機構とを配置し、
前記中間層部の下方には、機体の前部に、上部から下部に向かって順に、出金口と一括回収金庫とを配置し、これら出金口および一括回収金庫の後方に、前記一括搬送機構から硬貨を受け取るとともに上下動可能なエレベータ手段を配置し、該エレベータ手段の後方に、前記金種選別一時貯留手段からの硬貨を機体前後方向におけるその後部側より収納するとともに指示された枚数の硬貨を機体前後方向におけるその前部側より繰り出して前記エレベータ手段に出金可能な金種別の収納出金手段を、上下方向に積み重なるように配置したことを特徴とする硬貨入出金機。
【請求項３】
前記入金排除搬送機構は、前記入金排除手段で排除された硬貨を、前記入金排除口に搬送する水平方向の第一のベルト手段を有することを特徴とする請求項２記載の硬貨入出金機。
【請求項４】
前記一括搬送機構は、前記オーバーフロー排除手段によって排除された硬貨および前記金種選別一時貯留手段によって選別された硬貨を、前記エレベータ手段に搬送する水平方向の第二の搬送ベルトを有することを特徴とする請求項２または３記載の硬貨入出金機。
【請求項５】
前記入金排除搬送機構は、前記入金排除手段で排除された硬貨を、前記入金排除口に搬送する水平方向の第一のベルト手段を有しており、
前記一括搬送機構は、前記オーバーフロー排除手段によって排除された硬貨および前記金種選別一時貯留手段によって選別された硬貨を、前記エレベータ手段に搬送する水平方向の第二の搬送ベルトを有していて、
これら第一のベルト手段および第二のベルト手段は、機体の前後方向の一部において並列状に配置されていることを特徴とする請求項２記載の硬貨入出金機。
【請求項６】
前記エレベータ手段は、前記金種別の収納出金手段からの硬貨を受け取るとともに該硬貨を前記出金口に放出可能で、かつ、前記一括搬送機構からの硬貨を受け取るとともに該硬貨を前記出金口および前記一括回収金庫に選択的に放出可能に構成されていることを特徴とする請求項２乃至５のいずれか一項記載の硬貨入出金機。
【発明の詳細な説明】
【０００１】
【発明の属する技術分野】
本発明は、銀行等の金融機関において用いられる硬貨入出金機に関し、特にその幅方向のスリム化に関する。
【０００２】
【従来の技術】
現在、銀行等の金融機関の窓口には、窓口業務における紙幣および硬貨の入出金業務を支援するために紙幣入出金機および硬貨入出金機が配置されている。
このような紙幣入出金機の一例としては、特開平８−７７４１１号公報に開示されたものが知られており、また、硬貨入出金機の一例としては、特開平１０−９７６６７号公報に開示されたものが知られている。
【０００３】
【発明が解決しようとする課題】
ところで、上記した硬貨入出金機は、特に、金融機関の窓口のいわゆるテラーカウンタ上に配置されるような卓上型の装置として開発されたものであるが、近年では、金融機関の窓口に多種の情報端末等が配置されるようになってきているため、テラーカウンタ上からは硬貨入出金機を排除したいという要望が出てきており、実際にテラーの後方等に配置する窓口も存在している。
そこで、窓口用の紙幣入出金機と併設できるように、特に機体の幅方向をスリム化した窓口用の硬貨入出金機の開発が望まれていた。
【０００４】
他方、自動化コーナー等に配置され、機体の幅方向をスリム化した硬貨入出金機が、例えば、特開平５−１０１２５３号公報に開示されている。この装置は、上下方向に延在する出金筒を金種別に機体前後方向に配列することで機体の幅方向をスリム化するようにしたものであり、出金の際には、金種別出金筒から放出された硬貨を機体下部から上部後方に搬送し、さらに機体前方に搬送して取引口に導くようになっている。このため、出金時における硬貨の搬送経路が長く、取引処理時間が長くなってしまうという問題があった。
本発明は、幅方向にスリム化することができた上で、出金硬貨を出金する場合の搬送経路を短くし、取引処理時間を短縮することができる硬貨入出金機の提供を目的とする。
【０００５】
【課題を解決するための手段】
上記目的を達成するため、本発明の請求項１記載の硬貨入出金機は、入金口に入金された硬貨を金種別に選別し一時貯留させる金種選別一時貯留手段と、該金種選別一時貯留手段から硬貨を金種別に受け入れて収納するとともに指示された枚数の硬貨を出金口に向け繰り出す金種別の収納出金手段とを有するものであって、前記金種別の収納出金手段は、上下方向に積み重なるように配置されるとともに、前記金種選別一時貯留手段からの硬貨を機体の前後方向におけるその後部側より収納するとともに硬貨を機体の前後方向におけるその前部側より前記出金口に向け繰り出すものであって、下側のものほど大径硬貨を収納するとともに、それぞれの前端部の位置をすべて一致させており、後端部の位置を、上側のものほど、機体における前方側に位置するようにずらしていることを特徴としている。
【０００６】
このように金種別の収納出金手段は、上下方向に積み重なるように配置されるため、幅方向にスリム化することができ、しかも金種選別一時貯留手段からの硬貨をその後部側より収納する一方、収納した硬貨をその前部側より出金口に向け繰り出すため、これら金種別の収納出金手段から出金口に向け繰り出された硬貨を前方に搬送する距離を短くすることができる。
【０００７】
本発明の請求項２記載の硬貨入出金機は、機体の上層部には、機体の前部側から後部側に向かって順に、入金口と、該入金口に機外から投入された硬貨を分離して繰り出す入金分離繰出機構と、該入金分離繰出機構で繰り出された硬貨を搬送する搬送路機構とを配置するとともに、該搬送路機構には、機体の前部側から後部側に向かって順に、硬貨を判別する判別部と、該判別部の判別結果に基づいて硬貨を前記搬送路機構から排除する入金排除手段と、前記判別部の判別結果に基づいて硬貨を前記搬送路機構から排除するオーバーフロー排除手段と、前記判別部の判別結果に基づいて硬貨を金種別に選別し一時貯留させる金種選別一時貯留手段とを配置し、前記上層部の直下の中間層部には、機体の前部側から後部側に向かって順に、入金排除口と、前記入金排除手段で排除された硬貨を前記入金排除口へ搬送する入金排除搬送機構と、前記オーバーフロー排除手段で排除された硬貨および前記金種選別一時貯留手段で一時貯留された硬貨を搬送可能な一括搬送機構とを配置し、前記中間層部の下方には、機体の前部に、上部から下部に向かって順に、出金口と一括回収金庫とを配置し、これら出金口および一括回収金庫の後方に、前記一括搬送機構から硬貨を受け取るとともに上下動可能なエレベータ手段を配置し、該エレベータ手段の後方に、前記金種選別一時貯留手段からの硬貨を機体前後方向におけるその後部側より収納するとともに指示された枚数の硬貨を機体前後方向におけるその前部側より繰り出して前記エレベータ手段に出金可能な金種別の収納出金手段を、上下方向に積み重なるように配置したことを特徴としている。
【０００８】
上記のように、入金処理に関する入金口と入金分離繰出機構と搬送路機構とを、機体の上層部に、機体の前部側から後部側に向かって順に配置するとともに、さらに入金処理に関する判別部と入金排除手段とオーバーフロー排除手段と金種選別一時貯留手段とを搬送路機構に、機体の前部側から後部側に向かって順に配置する。また、入金された硬貨のうち再利用する硬貨以外の硬貨の処理に関する入金排除口と、入金排除搬送機構と、一括搬送機構とを上層部の直下の中間層部に、機体の前部側から後部側に向かって順に配置する。そして、中間層部の下方の機体の前部に、出金処理やオーバーフロー硬貨の処理等に関わる出金口と一括回収金庫とを配置し、これらの後方に、出金処理やオーバーフロー硬貨の処理に関わるエレベータ手段を配置して、さらにその後方に、入金された硬貨のうち再利用する硬貨を収納する金種別の収納出金手段を、上下方向に積み重なるように配置する。このように構成することにより、幅方向にスリム化することができる。
【０００９】
しかも、金種別の収納出金手段は、金種選別一時貯留手段からの硬貨をその後部側より収納する一方、収納した硬貨をその前部側より繰り出すため、これら金種別の収納出金手段から出金口に向け繰り出された硬貨を前方に搬送する距離を短くすることができる。
また、入金硬貨を金種選別一時貯留手段で一時貯留した後、これを返却する場合には、一括搬送機構で機体前方に搬送し、上方に位置するエレベータで受け取って、これを出金口に払い出すことになり、また、入金硬貨を金種選別一時貯留手段で一時貯留した後、これを収納する場合には、下方の収納出金手段に導入させることになる。
【００１０】
本発明の請求項３記載の硬貨入出金機は、請求項２記載のものに関し、前記入金排除搬送機構は、前記入金排除手段で排除された硬貨を、前記入金排除口に搬送する水平方向の第一のベルト手段を有することを特徴としている。
【００１１】
このように、入金排除搬送機構が水平方向の第一のベルト手段を有しているため、高さ方向に必要なスペースを最小限にし小型化を図ることができる。
【００１２】
本発明の請求項４記載の硬貨入出金機は、請求項２または３記載のものに関し、前記一括搬送機構は、前記オーバーフロー排除手段によって排除された硬貨および前記金種選別一時貯留手段によって選別された硬貨を、前記エレベータ手段に搬送する水平方向の第二の搬送ベルトを有することを特徴としている。
【００１３】
このように、一括搬送機構が水平方向の第二の搬送ベルトを有しているため、高さ方向に必要なスペースを最小限にし小型化を図ることができる。
【００１４】
本発明の請求項５記載の硬貨入出金機は、請求項２記載のものに関し、前記入金排除搬送機構は、前記入金排除手段で排除された硬貨を、前記入金排除口に搬送する水平方向の第一のベルト手段を有しており、前記一括搬送機構は、前記オーバーフロー排除手段によって排除された硬貨および前記金種選別一時貯留手段によって選別された硬貨を、前記エレベータ手段に搬送する水平方向の第二の搬送ベルトを有していて、これら第一のベルト手段および第二のベルト手段は、機体の前後方向の一部において並列状に配置されていることを特徴としている。
【００１５】
このように、入金排除搬送機構が水平方向の第一のベルト手段を有するとともに一括搬送機構が水平方向の第二の搬送ベルトを有し、さらにこれらが機体の前後方向の一部において並列状に配置されているため、これら第一のベルト手段および第二のベルト手段で上下方向のスペースを共用することができ、高さ方向に必要なスペースをさらに小さくできる。
【００１６】
本発明の請求項６記載の硬貨入出金機は、請求項２乃至５のいずれか一項記載のものに関し、前記エレベータ手段は、前記金種別の収納出金手段の前方位置で当該収納出金手段からの硬貨を受け取るとともに該硬貨を前記出金口に放出可能で、かつ、前記一括搬送機構からの硬貨を受け取るとともに該硬貨を前記出金口および前記一括回収金庫に選択的に放出可能に構成されていることを特徴としている。
【００１７】
これにより、出金処理時には、エレベータ手段が金種別の収納出金手段からの硬貨を受け取るとともに該硬貨を出金口に放出させる。また、金種選別一時貯留手段で一時貯留された硬貨を返却させる場合には、エレベータ手段が一括搬送機構を介して受け取った硬貨を出金口に放出させる。さらに、金種選別一時貯留手段で一時貯留された硬貨を一括して収納させる場合およびオーバーフロー排除手段で排除された硬貨を一括して収納させる場合には、エレベータ手段が一括搬送機構を介して受け取った硬貨を一括回収金庫に放出させる。
【００１８】
【発明の実施の形態】
本発明の一の実施の形態の硬貨入出金機を図１〜図３を参照して以下に説明する。
図において符号１１で示すものが、この硬貨入出金機の機体であり、この機体１１は、上層部１２と、該上層部１２の直下の中間層部１３と、該中間層部１３の直下の下層部１４とに機能上分割されている。
【００１９】
上層部１２には、機体１１の前部側から後部側に向かって順に、入金口１６と、該入金口１６に機外から投入された硬貨を分離して機体１１の後方に向け繰り出す入金分離繰出機構１７と、該入金分離繰出機構１７で繰り出された硬貨を機体１１の後方に向け搬送する搬送路機構１８とが配置されている。なお、これらは略水平に配置されている。
【００２０】
入金口１６は、機体１１の前上部に設けられており、投入された硬貨を載置させるとともに機体１１における後方に送る入金繰出ベルト２０を有していて、上方に開口する形状をなしている。
入金分離繰出機構１７は、入金口１６の入金繰出ベルト２０の上側に配置され該入金繰出ベルト２０との間で硬貨を一枚ずつ分離して後方に繰り出す繰出ローラ２１を有している。
【００２１】
搬送路機構１８は、入金分離繰出機構１７で繰り出された硬貨の移動を案内する搬送路２３を有しており、該搬送路２３は、直線状をなして前後に水平配置されている。また搬送路機構１８は、搬送路２３上に設けられて該搬送路２３に沿って硬貨を移動させる主搬送ベルト２４を有している。
【００２２】
搬送路機構１８には、機体１１の前部側から後部側に向かって（すなわち搬送上流側より）順に、硬貨を判別し計数する判別部２６と、該判別部２６の判別結果に基づいて硬貨を搬送路機構１８から下方に排除する入金排除部（入金排除手段）２７と、判別部２６の判別結果に基づいて硬貨を搬送路機構１８から下方に排除するオーバーフロー排除部（オーバーフロー排除手段）２８と、判別部２６の判別結果に基づいて硬貨を金種別に選別し一時貯留させる金種選別一時貯留部（金種選別一時貯留手段）２９とが配置されている。なお、これらは略水平に配置されている。
【００２３】
判別部２６は、搬送路２３上の硬貨の真偽判別および真と判別された硬貨の金種判別を行う。
入金排除部２７は、判別部２６で偽（判別不能を含む）と判別された機外へ排除すべきリジェクト硬貨のみを搬送路機構１８から真下に落下させ、それ以外の硬貨を搬送路機構１８でさらに下流側（機体１１の後方側）に搬送させる。
【００２４】
オーバーフロー排除部２８は、判別部２６で真と判別されしかも再利用する硬貨としては収納しきれない金種と判別されたオーバーフロー硬貨のみを搬送路機構１８から機体１１の左右方向における斜め下方（具体的には機体１１の前方から見て右下方）に落下させ、それ以外の硬貨を搬送路機構１８でさらに下流側（機体１１の後方側）に搬送させる。
【００２５】
金種選別一時貯留部２９は、搬送路２３に設けられて入金排除部２７およびオーバーフロー排除部２８で排除されなかった硬貨を金種別に異なる位置からそれぞれ真下に落下させる図示せぬ金種別選別孔と、該金種別選別孔で落下させた硬貨を金種別に分類した状態で一時貯留させる金種別の一時貯留部３０ａ〜３０ｆとを有している。
【００２６】
ここで、金種別選別孔は、硬貨を小径のものから順に落下させるようになっており、その結果、金種別の一時貯留部３０ａ〜３０ｆは、前端の一時貯留部３０ａが１円硬貨を、その後ろに隣り合う一時貯留部３０ｂが５０円硬貨を、その後ろに隣り合う一時貯留部３０ｃが５円硬貨を、その後ろに隣り合う一時貯留部３０ｄが１００円硬貨を、その後ろに隣り合う一時貯留部３０ｅが１０円硬貨を、その後ろに隣り合う一時貯留部３０ｆが５００円硬貨を、それぞれ一時貯留させる。
【００２７】
なお、金種別の一時貯留部３０ａ〜３０ｆは、開閉作動することにより硬貨を下方に放出させる状態と一時貯留させる状態とに切り換えられる図示せぬシャッタと、該シャッタが開かれることにより下方に放出させる硬貨を真下に放出させる状態と機体１１の左右方向における斜め下方（具体的には機体１１の前方から見て右下方）に放出させる状態とに切り換えられる図示せぬシュートとを有している。
以上により、金種選別一時貯留部２９は、入金口１６に入金された硬貨を金種別に選別し一時貯留させる。
【００２８】
中間層部１３には、機体１１の前部側から後部側に向かって順に、入金排除口３２と、上記した入金排除部２７で搬送路機構１８から排除された硬貨を入金排除口３２へ搬送する入金排除搬送機構３３と、オーバーフロー排除部２８で搬送路機構１８から排除された硬貨および金種選別一時貯留部２９で一時貯留された硬貨を搬送可能な一括搬送機構３４とが配置されており、これらは略水平に配置されている。
【００２９】
入金排除口３２は、機体１１の上下方向における中間部に設けられており、前方に開口する形状をなしている。
入金排除搬送機構３３は、入金排除部２７の下方位置から機体１１の前方に向けて水平延在する入金排除搬送ベルト（第一のベルト手段）３６を有している。
一括搬送機構３４は、金種選別一時貯留部２９の下方位置から機体１１の前方に向けて水平延在する一括搬送ベルト（第二のベルト手段）３７を有している。
【００３０】
ここで、入金排除搬送ベルト３６および一括搬送ベルト３７は、機体１１の前後方向の一部において並列状に配置されている。すなわち、上下方向の位置を一致させ、左右方向に隣り合い、入金排除搬送ベルト３６が一括搬送ベルト３７より機体１１の前後方向における前側に位置する状態で前後方向に一部が重なり合っている。
【００３１】
そして、入金排除搬送機構３３は、入金排除部２７で搬送路機構１８から真下に排除された硬貨を受け入れて、機体前方の入金排除口３２に搬送する。この入金排除搬送ベルト３６は、入金処理時において常時搬送駆動される。
【００３２】
一括搬送機構３４は、オーバーフロー排除部２８で斜め下方に放出された硬貨および金種選別一時貯留部２９で斜め下方に放出された硬貨を受け入れて、機体１１の前方に向け搬送する。この一括搬送機構３４は、入金処理時において入金確定操作の入力が操作者によりなされるまで停止しており、硬貨を一時貯留させるようになっていて、入金確定操作の入力がなされると搬送駆動される。
【００３３】
下層部１４には、機体１１の前部に、上部から下部に向かって順に、出金口３９と一括回収金庫４０とが鉛直に配置されており、これら出金口３９および一括回収金庫４０の後方に、機体１１の最下部と一括搬送機構３４の直下との間で上下動可能かつ傾動可能なエレベータ部（エレベータ手段）４１が配置されている。
【００３４】
さらに、該エレベータ部４１の後方に、金種選別一時貯留部２９から真下に放出された硬貨を機体１１の前後方向におけるその後部側から収納するとともに、指示された枚数の硬貨を分離し機体１１の前後方向における前端部から繰り出してエレベータ部４１に出金可能な金種別の収納出金部（収納出金手段）４２ａ〜４２ｆが、上下方向に積み重なるように配置されている。
【００３５】
出金口３９は、機体１１の上下方向における入金排除口３２より下側の中間部に設けられており、前方に開口する形状をなしている。
一括回収金庫４０は、機体１１に対し着脱自在に設けられるもので、その上部に硬貨を受け入れるための図示せぬ受入口が形成されている。
【００３６】
エレベータ部４１は、上限位置に停止し水平配置された状態で一括搬送機構３４から硬貨を受け取る（図１に一点鎖線で示すエレベータ部４１（４１Ａ）参照）。
また、エレベータ部４１は、各金種別の収納出金部４２ａ〜４２ｆのうち一つの収納出金部の前方位置に停止し水平配置された状態で該一つの収納出金部から繰り出された硬貨を受け取ることになり、その上下動位置を変更することですべての収納出金部４２ａ〜４２ｆから繰り出された硬貨を受け取り可能となっている。なお、所定の下部位置（例えば下限位置）ですべての収納出金部４２ａ〜４２ｆから硬貨を一度に受け取るようにしてもよい（図１に実線で示すエレベータ部４１参照）。
【００３７】
他方、エレベータ部４１は、各金種別の収納出金部４２ａ〜４２ｆから受け取った硬貨を、出金口３９の後方位置（上限位置あるいはその近傍位置）に停止し前方側が下側に位置するように傾動することで該出金口３９に放出させる（図１に一点鎖線で示すエレベータ部４１（４１Ｂ）参照）。
また、エレベータ部４１は、一括搬送機構３４から受け取った硬貨を、出金口３９の後方位置に停止し前方側が下側に位置するように傾動することで該出金口３９に放出させたり（図１に一点鎖線で示すエレベータ部４１（４１Ｂ）参照）、一括回収金庫４０の後方位置に停止し前方側が下側に位置するように傾動することで該一括回収金庫４０内に放出させたり（図１に一点鎖線で示すエレベータ部４１（４１Ｃ）参照）する。すなわち、出金口３９および一括回収金庫４０に選択的に硬貨を放出させる。
なお、エレベータ部４１を傾動させるのではなく、ベルトで構成し該ベルトで搬送して硬貨を出金口３９および一括回収金庫４０に放出させるようにしてもよい。
【００３８】
金種別の収納出金部４２ａ〜４２ｆは、上下に積み重なるように配置されており、具体的には、機体１１の前後方向における位置を重ね合わせ、機体１１の左右方向における位置を一致させた状態で上下に並列に配置されている。
【００３９】
金種別の収納出金部４２ａ〜４２ｆは、それぞれ、前方側が下側に位置するよう傾斜するガイド板４４と、該ガイド板４４の前端部と連続するように後端部が配置されるとともに前方側が上側に位置するよう傾斜する出金搬送ベルト４５と、該出金搬送ベルト４５の前端側に設けられて硬貨を一枚ずつ分離する出金分離部４６と、出金搬送ベルト４５の出金分離部４６より前に設けられて硬貨を計数する出金計数部４７とを有している。
【００４０】
ここで、金種別の収納出金部４２ａ〜４２ｆは、それぞれの前端部の位置をすべて一致させており、後端部の位置を、上側のものほど、機体１１における前方側に位置するようにずらしている。そして、これにより、上側のものに金種別の一時貯留部３０ａ〜３０ｆの前側のものを対応させるようになっている。
すなわち、最上部の収納出金部４２ａは、前端の一時貯留部３０ａから真下に放出され図示せぬシュートで案内される１円硬貨をその後部側のガイド板４４より受け入れて収納するとともに、指示された枚数の１円硬貨をその前端部より分離状態で繰り出してエレベータ部４１に出金させる。
【００４１】
該収納出金部４２ａの下側に隣り合う収納出金部４２ｂは、一時貯留部３０ｂから真下に放出され図示せぬシュートで案内される５０円硬貨をその後部側のガイド板４４より受け入れて収納するとともに指示された枚数の５０円硬貨をその前端部より分離状態で繰り出してエレベータ部４１に出金させる。
該収納出金部４２ｂの下側に隣り合う収納出金部４２ｃは、一時貯留部３０ｃから真下に放出され図示せぬシュートで案内される５円硬貨をその後部側のガイド板４４より受け入れて収納するとともに指示された枚数の５円硬貨をその前端部より分離状態で繰り出してエレベータ部４１に出金させる。
【００４２】
該収納出金部４２ｃの下側に隣り合う収納出金部４２ｄは、一時貯留部３０ｄから真下に放出され図示せぬシュートで案内される１００円硬貨をその後部側のガイド板４４より受け入れて収納するとともに指示された枚数の１００円硬貨をその前端部より分離状態で繰り出してエレベータ部４１に出金させる。
該収納出金部４２ｄの下側に隣り合う収納出金部４２ｅは、一時貯留部３０ｅから真下に放出され図示せぬシュートで案内される１０円硬貨をその後部側のガイド板４４より受け入れて収納するとともに指示された枚数の１０円硬貨をその前端部より分離状態で繰り出してエレベータ部４１に出金させる。
【００４３】
該収納出金部４２ｅの下側に隣り合う収納出金部４２ｆは、一時貯留部３０ｆから真下に放出され図示せぬシュートで案内される５００円硬貨をその後部側のガイド板４４より受け入れて収納するとともに指示された枚数の５００円硬貨をその前端部より分離状態で繰り出してエレベータ部４１に出金させる。
以上により、金種別の収納出金部４２ａ〜４２ｆは、金種選別一時貯留部２９から硬貨を金種別に受け入れて収納するとともに指示された枚数の硬貨を出金口３９に向け繰り出す。
【００４４】
次に、上記硬貨入出金機の作動について説明する。
「入金初期処理」
操作者が硬貨を入金口１６に投入し、スタート操作を入力すると、図示せぬ制御部が、入金口１６の入金搬送ベルト２０、入金分離繰出機構１７、搬送路機構１８の主搬送ベルト２４および入金排除搬送機構３３の入金排除搬送ベルト３６を駆動させるとともに、エレベータ部４１を上限位置に位置させる。
【００４５】
これにより、入金口１６に投入された硬貨が入金分離繰出機構１７で一枚ずつ分離され繰り出されて搬送路機構１８で搬送される。この搬送路機構１８での搬送中に硬貨は、判別部２６で判別され真硬貨については金種別に計数される。そして、判別部２６で偽（判別不能を含む）と判別された硬貨は、入金排除部２７で下方に落下させられて、駆動状態にある入金排除搬送ベルト３６で入金排除口３２に搬送される。
【００４６】
他方、判別部２６で真と判別された硬貨は、入金排除部２７より下流側に搬送路機構１８で搬送される。そして、この真硬貨のうち、現在の一時貯留部３０ａ〜３０ｆおよび収納出金部４２ａ〜４２ｆの収納量に基づき再利用用として収納させるのは困難と判別されたオーバーフロー硬貨は、オーバーフロー排除部２８で下方に落下させられて、一括搬送機構３４の停止状態にある一括搬送ベルト３７上に一時貯留される。
【００４７】
また、オーバーフロー硬貨ではないと判別された硬貨は、オーバーフロー排除部２８より下流側に搬送路機構１８で搬送される。最終的に、硬貨は、金種選別一時貯留部２９で金種別に選別されて一時貯留部３０ａ〜３０ｆに金種別に一時貯留される。
そして、このようにして入金口１６に投入された硬貨がすべて、入金排除口３２、一括搬送ベルト３７および一時貯留部３０ａ〜３０ｆのいずれかに位置すると、制御部は、金額を図示せぬ表示部に表示させる。
【００４８】
「入金確定後収納処理」
上記金額に基づいて操作者が入金確定の操作入力を行うと、制御部は、金種選別一時貯留部３０ａ〜３０ｆから硬貨を金種別に分類した状態で収納出金部４２ａ〜４２ｆに収納させる。すなわち、一時貯留部３０ａに一時貯留されていた硬貨を収納出金部４２ａに収納させ、一時貯留部３０ｂに一時貯留されていた硬貨を収納出金部４２ｂに収納させ、一時貯留部３０ｃに一時貯留されていた硬貨を収納出金部４２ｃに収納させ、一時貯留部３０ｄに一時貯留されていた硬貨を収納出金部４２ｄに収納させ、一時貯留部３０ｅに一時貯留されていた硬貨を収納出金部４２ｅに収納させ、一時貯留部３０ｆに一時貯留されていた硬貨を収納出金部４２ｆに収納させる。
【００４９】
また、これと並行して、制御部は、一括搬送機構３４の一括搬送ベルト３７を搬送駆動して、該一括搬送ベルト３７に一時貯留されていたオーバーフロー硬貨をエレベータ部４１にすべて受け渡し、該エレベータ部４１で一括回収金庫４０に収納させる。
【００５０】
「入金確定後返却処理」
他方、上記金額に基づいて操作者が入金キャンセルの操作入力を行うと、制御部は、金種選別一時貯留部２９からすべて硬貨を一括搬送機構３４の一括搬送ベルト３７に放出させる。そして、制御部は、一括搬送機構３４の一括搬送ベルト３７を搬送駆動して、該一括搬送ベルト３７上の硬貨（オーバーフロー硬貨を含む）をエレベータ部４１にすべて受け渡し、該エレベータ部４１で出金口３９に放出させる。
【００５１】
「出金処理」
制御部は、出金処理を行う場合、操作者により入力された出金データに基づいて、エレベータ部４１を収納出金部４２ａ〜４２ｆのうちの対応する収納出金部の前方に位置させて、該収納出金部の出金搬送ベルト４５を駆動し、出金分離部４６で分離し出金計数部４７で計数しながら、該収納出金部から硬貨を指定された枚数だけ繰り出させる。ここで、出金口３９が収納出金部４２ａ〜４２ｆの上部に対応する高さに位置するため、例えば、収納出金部４２ａ〜４２ｆの繰り出しの順番は、下側が先で上側が後となるように設定されており、その結果、エレベータ部４１が下から上にのみ移動する。
【００５２】
すなわち、出金データに５００円硬貨が含まれる場合は収納出金部４２ｆからエレベータ部４１に硬貨を指定された枚数繰り出させ、次に、出金データに１０円硬貨が含まれる場合は収納出金部４２ｅからエレベータ部４１に硬貨を指定された枚数繰り出させ、次に、出金データに１００円硬貨が含まれる場合は収納出金部４２ｄからエレベータ部４１に硬貨を指定された枚数繰り出させ、次に、出金データに５円硬貨が含まれる場合は収納出金部４２ｃからエレベータ部４１に硬貨を指定された枚数繰り出させ、次に、出金データに５０円硬貨が含まれる場合は収納出金部４２ｂからエレベータ部４１に硬貨を指定された枚数繰り出させ、次に、出金データに１円硬貨が含まれる場合は収納出金部４２ａからエレベータ部４１に硬貨を指定された枚数繰り出させる。
【００５３】
このようにして、収納出金部４２ａ〜４２ｆのうち必要なすべてのものから硬貨をエレベータ部４１に繰り出させると、制御部は、該エレベータ部４１から硬貨を出金口３９に放出させる。
【００５４】
「回収処理」
制御部は、回収処理を行う場合、エレベータ部４１を収納出金部４２ａ〜４２ｆのうちの対応する収納出金部の前方に位置させて、該収納出金部の出金搬送ベルト４５を駆動して、出金分離部４６で分離し出金計数部４７で計数しながら、該収納出金部から硬貨をすべて繰り出させる。すなわち、収納出金部４２ｆからエレベータ部４１に５００硬貨をすべて繰り出させ、収納出金部４２ｅからエレベータ部４１に１０硬貨をすべて繰り出させ、収納出金部４２ｄからエレベータ部４１に１００硬貨をすべて繰り出させ、収納出金部４２ｃからエレベータ部４１に５円硬貨をすべて繰り出させ、収納出金部４２ｂからエレベータ部４１に５０硬貨をすべて繰り出させ、収納出金部４２ａからエレベータ部４１に１円硬貨をすべて繰り出させて、該エレベータ４１から硬貨を一括回収金庫４０に放出させる。
【００５５】
ここで、この回収処理において、エレベータ部４１に一度に搭載しきれる限界枚数の硬貨が繰り出されると、制御部は、収納出金部４２ａ〜４２ｆからの硬貨の繰り出しを一時中断し、エレベータ部４１内の硬貨を一括回収金庫４０に一旦収納させてから、収納出金部４２ａ〜４２ｆからの硬貨の繰り出しを再開するようになっている。
【００５６】
以上に述べたこの実施の形態の硬貨入出金機によれば、入金処理に関する入金口１６と入金分離繰出機構１７と搬送路機構１８とを、機体１１の上層部１２に、機体１１の前部側から後部側に向かって順に配置するとともに、さらに入金処理に関する判別部２６と入金排除部２７とオーバーフロー排除部２８と金種選別一時貯留部３０ａ〜３０ｆとを搬送路機構１８に、機体１１の前部側から後部側に向かって順に配置する。また、入金された硬貨のうち再利用する硬貨以外の硬貨の処理に関する入金排除口３２と、入金排除搬送機構３３と、一括搬送機構３４とを上層部１２の直下の中間層部１３に、機体１１の前部側から後部側に向かって順に配置する。そして、中間層部１３の下方の機体１１の前部に、出金処理やオーバーフロー硬貨の処理等に関わる出金口３９と一括回収金庫４０とを上下に配置し、これらの後方に、出金処理やオーバーフロー硬貨の処理に関わるエレベータ部４１を配置して、さらにその後方に、入金された硬貨のうち再利用する硬貨を収納する金種別の収納出金部４２ａ〜４２ｆを、上下方向に積み重なるように配置する。このように構成することにより、幅方向にスリム化することができる。
【００５７】
しかも、金種別の収納出金部４２ａ〜４２ｆは、金種選別一時貯留部２９からの硬貨をその後部側より収納する一方、収納した硬貨をその前部側より繰り出すため、これら金種別の収納出金部４２ａ〜４２ｆから出金口３９に向け繰り出された硬貨を前方に搬送する距離を短くすることができる。
したがって、幅方向にスリム化することができた上で、出金硬貨を出金する場合の搬送経路を短くし、取引処理時間を短縮することができる。
【００５８】
また、入金排除搬送機構３３が水平方向の入金排除搬送ベルト３６を有しているため、高さ方向に必要なスペースを最小限にし小型化を図ることができる。
【００５９】
さらに、一括搬送機構３４が水平方向の一括搬送ベルト３７を有しているため、高さ方向に必要なスペースを最小限にし小型化を図ることができる。
【００６０】
加えて、これら入金排除搬送ベルト３６および一括搬送ベルト３７が機体１１の前後方向の一部において並列状に配置されているため、これら入金排除搬送ベルト３６および一括搬送ベルト３７で上下方向のスペースを共用することができ、高さ方向に必要なスペースをさらに小さくできる。
【００６１】
さらに、出金処理時には、エレベータ部４１が金種別の収納出金部４２ａ〜４２ｆからの硬貨を受け取るとともに該硬貨を出金口３９に放出させる。また、金種選別一時貯留部２９で一時貯留された硬貨を返却させる場合には、エレベータ部が一括搬送機構３４を介して受け取った硬貨を出金口３９に放出させる。さらに、金種選別一時貯留部２９で一時貯留された硬貨を一括して収納する場合およびオーバーフロー排除部２８で排除された硬貨を一括して収納する場合には、エレベータ部４１が一括搬送機構３４を介して受け取った硬貨を一括回収金庫４０に収納させる。
このようにエレベータ部４１を複数の処理で兼用しているため、さらに小型化を図ることができる。
【００６２】
【発明の効果】
以上詳述したように、本発明の請求項１記載の硬貨入出金機によれば、金種別の収納出金手段は、上下方向に積み重なるように配置されるため、幅方向にスリム化することができ、しかも金種選別一時貯留手段からの硬貨をその後部側より収納する一方、収納した硬貨をその前部側より繰り出すため、これら金種別の収納出金手段から出金口に向け繰り出された硬貨を前方に搬送する距離を短くすることができる。
したがって、幅方向にスリム化することができた上で、出金硬貨を出金する場合の搬送経路を短くし、取引処理時間を短縮することができる。
【００６３】
本発明の請求項２記載の硬貨入出金機によれば、入金処理に関する入金口と入金分離繰出機構と搬送路機構とを、機体の上層部に、機体の前部側から後部側に向かって順に配置するとともに、さらに入金処理に関する判別部と入金排除手段とオーバーフロー排除手段と金種選別一時貯留手段とを搬送路機構に、機体の前部側から後部側に向かって順に配置する。また、入金された硬貨のうち再利用する硬貨以外の硬貨の処理に関する入金排除口と、入金排除搬送機構と、一括搬送機構とを上層部の直下の中間層部に、機体の前部側から後部側に向かって順に配置する。そして、中間層部の下方の機体の前部に、出金処理やオーバーフロー硬貨の処理等に関わる出金口と一括回収金庫とを配置し、これらの後方に、出金処理やオーバーフロー硬貨の処理に関わるエレベータ手段を配置して、さらにその後方に、入金された硬貨のうち再利用する硬貨を収納する金種別の収納出金手段を、上下方向に積み重なるように配置する。このように構成することにより、幅方向にスリム化することができる。
【００６４】
しかも、金種別の収納出金手段は、金種選別一時貯留手段からの硬貨をその後部側より収納する一方、収納させた硬貨をその前部側より繰り出すため、これら金種別の収納出金手段から出金口に向け繰り出された硬貨を前方に搬送する距離を短くすることができる。
したがって、幅方向にスリム化することができた上で、出金硬貨を出金する場合の搬送経路を短くし、取引処理時間を短縮することができる。
【００６５】
また、入金硬貨を金種選別一時貯留手段で一時貯留した後、これを返却する場合には、一括搬送機構で機体前方に搬送し、上方に位置するエレベータで受け取って、これを出金口に払い出すことになり、また、入金硬貨を金種選別一時貯留手段で一時貯留した後、これを収納する場合には、下方の収納出金手段に導入されることになる。
したがって、いずれにおいても、機体の下部から上部後方に搬送した後、さらに搬送路によって機体の前方に搬送するような搬送経路をとるものに比して、搬送経路を短くでき、処理時間を短縮することができる。
【００６６】
本発明の請求項３記載の硬貨入出金機によれば、入金排除搬送機構が水平方向の第一のベルト手段で構成されているため、高さ方向に必要なスペースを最小限にし小型化を図ることができる。
【００６７】
本発明の請求項４記載の硬貨入出金機によれば、一括搬送機構が水平方向の第二の搬送ベルトで構成されているため、高さ方向に必要なスペースを最小限にし小型化を図ることができる。
【００６８】
本発明の請求項５記載の硬貨入出金機によれば、入金排除搬送機構が水平方向の第一のベルト手段で構成されるとともに一括搬送機構が水平方向の第二の搬送ベルトで構成され、さらにこれらが機体の前後方向の一部において並列状に配置されているため、これら第一のベルト手段および第二のベルト手段で上下方向のスペースを共用することができ、高さ方向に必要なスペースをさらに小さくできる。
【００６９】
本発明の請求項６記載の硬貨入出金機によれば、出金処理時には、エレベータ手段が金種別の収納出金手段からの硬貨を受け取るとともに該硬貨を出金口に放出する。また、金種選別一時貯留手段で一時貯留された硬貨を返却させる場合には、エレベータ手段が一括搬送機構を介して受け取った硬貨を出金口に放出させる。さらに、金種選別一時貯留手段で一時貯留された硬貨を一括して収納させる場合およびオーバーフロー排除手段で排除された硬貨を一括して収納させる場合には、エレベータ手段が一括搬送機構を介して受け取った硬貨を一括回収金庫に放出させる。
このようにエレベータ手段を複数の処理で兼用しているため、さらに小型化を図ることができる。
【図面の簡単な説明】
【図１】  本発明の一の実施の形態の硬貨入出金機を示す側断面図。
【図２】  本発明の一の実施の形態の硬貨入出金機を示す図１におけるＸ−Ｘ線に沿う断面矢視図。
【図３】  本発明の一の実施の形態の硬貨入出金機を示す図１におけるＹ−Ｙ線に沿う断面矢視図。
【符号の説明】
１１  機体
１２  上層部
１３  中間層部
１４  下層部
１６  入金口
１７  入金分離繰出機構
１８  搬送路機構
２６  判別部
２７  入金排除部（入金排除手段）
２８  オーバーフロー排除部（オーバーフロー排除手段）
２９  金種選別一時貯留部（金種選別一時貯留手段）
３２  入金排除口
３３  入金排除搬送機構
３４  一括搬送機構
３６  入金排除搬送ベルト（第一のベルト手段）
３７  一括搬送ベルト（第二のベルト手段）
３９  出金口
４０  一括回収金庫
４１  エレベータ部（エレベータ手段）
４２ａ〜４２ｆ  収納出金部（収納出金手段）
【図１】
0003696453.tif 000002
【図２】
0003696453.tif 000003
【図３】
0003696453.tif 000004